(57)【要約】      （修正有）【課題】家庭的園芸等比較的小規模な園芸に給水具として使用されている通常の柄杓は簡便な給水具という長所をもつが、注水の際水流は幅の広い一筋の強い流れとなり、給水に手加減を加えないと一度に多量の水が流出するという特性がある。本考案は柄杓の長所を維持しつつ給水の流れを多条の柔らかな水流とし、注水量を容易に加減しうる柄杓を提供することである。【解決手段】柄杓において柄棒を軸として捻った場合椀状体の上縁で最も低くなる部位に近い椀状体の側面に複数の細孔を穿ち、椀状体上部の当該細孔側のほぼ半分を椀状体に密着した天板で覆う構造にすることにより課題を解決した柄杓を完成した。【選択図】図１
0003114037.tif 000002
【実用新案登録請求の範囲】
【請求項１】
柄棒（２）を軸として捻った場合椀状体（１）上縁（４）で最も低くなる部位に近い椀状体側面に複数の細孔（３）を有し、椀状体上部の当該細孔側ほぼ半分が天板（５）で覆われていることを特徴とする園芸用注水柄杓。
【請求項２】
請求項１において、椀状体の上縁近くの細孔が、椀状体の側面（６）から外側方向に突出するパイプ（７）で形成される園芸用注水柄杓。
【請求項３】
請求項２において、椀状体上部の天板が当該パイプの上部をも覆う形状である園芸用注水柄杓。
【考案の詳細な説明】
【技術分野】
【０００１】  本考案は園芸において植物への注水に使用する柄杓に関するものである。
【背景技術】
【０００２】  柄杓とは一般に椀状体に柄棒が取り付けられたもので、柄棒を手で握り椀状体に流動体や紛体を取り入れそれを他の位置に移すとき使用するものの総称であるが、本考案に関する柄杓は、特に園芸において注水のために使用する柄杓である。【０００３】  園芸において植物に水を与える方法は植物の種類、植物の生育状況、植物が置かれている場所、園芸の規模等により種々の方法がとられており、従来から柄杓は単なる地面への散水具としてのほか如雨露、ポット型水差しと共に家庭的な園芸等比較的小規模な園芸に重宝な給水具として使用されている。【０００４】  この目的に使用されている一般的な柄杓は、比較的小容量（数百ミリリットル程度）の椀状体に椀状体直径の３倍近くになる長い柄棒が取り付けられており、バケツ等の比較的容量の大きい水貯め容器からその長い柄棒を利用して身体をほとんど屈することなく手軽に水をすくい込み、その柄棒を使って比較的遠い位置まで水を供与できるという、如雨露やポット型水差しに無い長所をもっている。一方柄杓の場合、給水は柄棒を捻り椀状体を傾け水を椀状体上縁を越して流出させて行うため、水流の質・量が不安定であるという特性をもっている。【０００５】  柄杓についての長所を生かしつつ、給水の水流を制御したものにしたいという提案はこれまで幾つか見ることができる。柄棒の椀状体とは反対側の先端部に細孔口を取り付け水を柄棒を通しこの細孔口から注水するもの（例えば実公昭５−３９２１号）、あるいは椀状体上部を天板で覆いこれに端部に細孔板のあるノズルを取り付けたもの（実公昭６−１２７６号）、又、椀状体の底部に細孔を穿ったもの（例えば実公昭４−１１５４２号、実開平４−５２４３８号）、椀状体の上縁円周の一部を高くしたもの（実公昭５０−２５６４号）などがある。しかし、これらはいずれも構造が複雑すぎるなどの問題点の存在が予想され実用化を見るに至っていないと推定される。
【考案の開示】
【考案が解決しようとする課題】
【０００６】  上記の通り従来の柄杓は固有の長所を持つが、給水の際の水流は幅の広い一筋の強い流れであり、手加減を加えないと一度に多量の水が流れ出るという特性がある。本考案はこれを改良し、給水の流れを柔らかな多条の水流とし注水量を容易に加減しうる柄杓を提案することを目的とする。
【課題を解決するための手段】
【０００７】  上記の目的を達成するため本考案では図１に示す通り、柄杓について、柄棒（２）を軸として捻った場合椀状体（１）の上縁（４）で最も低くなる部位に近い椀状体の側面に複数の細孔（３）を穿ち、椀状体上部の当該細孔側のほぼ半分を椀状体に密着した天板（５）で覆う構造にすることにより解決した。【０００８】  本考案に係る細孔（３）の内径は水流の質量に関係し、明確且つ柔らかな水流を確保するためには内径は１．５ミリメートル以上で３ミリメートルを越えない程度であることが好ましい。一方細孔の個数、及び細孔の柄棒に対する左右の位置は本考案の構成を左右するものでない。【０００９】  又、上記の細孔は図２に示すように椀状体側面から外側へ突出するパイプ（７）で形成されるものであってもよい。この場合パイプの長さが長くなれば、椀状体に水を取り入れるときパイプが貯水槽の壁面に当たるなど水の取り入れの支障になり、柄杓本来の取り扱いの軽快さを失い本考案の目的に反するから、パイプが椀状体側面から突出する長さは１センチメートル程度を限度とするのが好ましい。【００１０】  上記パイプ（７）は、側面からの突出が１センチメートル程度である限り貯水槽の壁面に当たるなどのことは殆どなく、パイプが損傷を受けることなどはほとんど起こらないが、図３に示すように椀状体上部の天板の形状をパイプの上部をも覆う形状にすることにより当該パイプの保護はより確実になる。【００１１】  上記パイプ（７）は、椀状体側面に孔を穿ちこれに相応のパイプを挿入固定したものであってもよく、椀状体と同時一体として成型されたものであってもよい。【００１２】  又、本考案に係る天板（５）は椀状体（１）形成後その上縁（４）に密着接合したものでもよく、椀状体と同時一体として成型されたものでもよい。又、本考案に係る柄杓の材質は本考案の構成を左右するものでない。【００１３】  本考案に係る柄杓は、上述した従来技術の提案等とその構成及び物品形状を明らかに異にするものである。
【考案の効果】
【００１４】  本考案に係る柄杓には天板（５）があるため、従来の柄杓の長所を保持したまま、水を供与するとき水が椀状体から溢れ出ることなく流出する水に可成りの水圧がかかり、適度の内径の複数の細孔から柔らかな多条の安定した水流を確保することができ、それに伴い注水量の制御を容易に行うことができるという利点を有する。【００１５】  補足的に記述するならば、椀状体上部のほぼ半分に天板があることは、バケツなどから水をすくい難くするのではないかという意識が生じるが、予想に反し柄棒を使って椀状体を水中に押し入れることによって容易に水を取り入れることができるし、バケツの底面近くにある水は細孔の反対側の天板の無い椀状体上縁を使用すれば容易に水をすくい取ることができ実用上何ら障害にならない。又、水を植物に供与する時細孔の反対側の椀状体上縁を使えば従来の柄杓と同じ方法で水を供与することができ、その結果本考案に係る柄杓は二つの給水方法を兼備していることになる。
【考案を実施するための最良の形態】
【実施例】
【００１６】  本考案は上記の説明から理解されると思われるが、以下に実施した１例を記述する。【００１７】    内径１２センチメートル深さ７センチメートル肉厚１ミリメートルのポリプロピレン成型物である椀状体と長さ３３センチメートルの柄棒からなる市販の通常柄杓を使用し、その椀状体の上縁でその柄棒を軸に捻った場合最下位となる部位に接する椀状体側面に内径２．０ミリメートルの細孔を中心間隔５ミリメトルで横並び５個、その下に上段細孔列から中心間隔４ミリメートルで上段細孔の中間に位置するように４個の細孔を穿ち、次に椀状体の上部の当該細孔側ほぼ半分を同質の平板を使用し当該上縁に密着接合して覆い本考案に係る柄杓を作成した。これに水を取り入れ柄棒を捻り椀状体を傾け水を流出させたところ椀状体から水は溢れ出ることなく安定した９条の柔らかな水流が確保され注水用具として十分その機能を示すことが確認された。細孔の内径が１．０ミリメートルのものについて同様なことを実施したが安定した水流はえられなかった。
【産業の利用可能性】
【００１８】  本考案に係る柄杓が製造及び使用の観点から産業上の利用可能性があることは論を待たない。
【図面の簡単な説明】
【００１９】
【図１】（イ）は本考案に係る柄杓の側面図（図は概念的なものであり、以下同じ。）であり、（ロ）は本考案に係る柄杓の椀状体の平面図であり、（ハ）は（ロ）の細孔ある椀状体側面の柄棒方向から見たＡ−Ｂ断面図である。
【図２】細孔がパイプで形成されている椀状体側面の部分断面図である。
【図３】（イ）はパイプが天板で保護されている椀状体の平面図であり、（ロ）は（イ）のパイプのある椀状体側面の柄棒方向から見た部分断面図である。
【符号の説明】
【００２０】１，椀状体
２，柄棒
３，細孔
４，（椀状体）上縁
５，天板
６，（椀状体）側面
７，パイプ
【図１】
0003114037.tif 000003
【図２】
0003114037.tif 000004
【図３】
0003114037.tif 000005